(57)【特許請求の範囲】
【請求項１】
遊技盤の前面に形成された遊技領域内に設けられて上下動可能、且つ、左右方向へ傾動可能な電動役物と、所定条件の充足により遊技者にとって有利な特別遊技状態の生起の有無を決定する決定手段と、図柄を表示可能で、当該図柄を確定表示した際の表示態様によって、前記決定手段による決定結果を遊技者に報知するための図柄表示部と、当該図柄表示部における表示及び前記電動役物の傾動を制御する制御手段とが備えられた遊技機であって、
前記図柄表示部は、前記電動役物に配置され、前記電動役物と共に上下動可能、且つ、左右方向へ傾動可能とされている一方、
前記制御手段は、所定の遊技条件が満たされると、前記電動役物を傾動させて前記図柄表示部を傾動させる際、前記図柄表示部における前記図柄の表示位置を、前記図柄表示部を傾動させないときの表示位置に対して傾動方向に沿う方向へずらし、さらに前記図柄におけるずらした側の一部を前記図柄表示部からはみ出させて切れたように表示することを特徴とする遊技機。
【発明の詳細な説明】
【技術分野】
【０００１】
本発明は、パチンコ機やスロットマシン等の遊技機に関する。
【背景技術】
【０００２】
従来の遊技機の一例であるパチンコ機として、下記特許文献１に記載のものが知られている。このパチンコ機では、遊技性を向上するため、図柄表示部が電動役物の本体に設けられている。
尚、図柄表示部は、図柄始動口への遊技球の入賞といった所定条件が充足された場合に図柄を変動表示すると共に、所定時間の経過に伴い図柄を大当り表示態様又は外れ表示態様で確定表示させるものである。又、電動役物は、図柄表示部における表示状況や大当り状態の生起といった遊技状態に応じて動作する可動部を本体と共に有するものである。
【先行技術文献】
【特許文献】
【０００３】
【特許文献１】特開２００６−２０９５８号公報
【発明の概要】
【発明が解決しようとする課題】
【０００４】
このようなパチンコ機では、電動役物の可動部が動くものの、図柄表示部が移動するものではない。よって、電動役物と図柄表示部を別個独立に備える一般的なパチンコ機と比較して、さほど目新しい印象を与えるものではない。
そこで、本発明は、図柄表示部を移動可能とし、更にその移動に応じた図柄の表示を行うことによって、斬新な印象を与えることのできる遊技性の高い遊技機を提供することを目的としたものである。
【課題を解決するための手段】
【０００５】
上記目的を達成するために、請求項１に記載の発明は、遊技盤の前面に形成された遊技領域内に設けられて上下動可能、且つ、左右方向へ傾動可能な電動役物と、所定条件の充足により遊技者にとって有利な特別遊技状態の生起の有無を決定する決定手段と、図柄を表示可能で、当該図柄を確定表示した際の表示態様によって、前記決定手段による決定結果を遊技者に報知するための図柄表示部と、当該図柄表示部における表示及び前記電動役物の傾動を制御する制御手段とが備えられた遊技機であって、前記図柄表示部は、前記電動役物に配置され、前記電動役物と共に上下動可能、且つ、左右方向へ傾動可能とされている一方、前記制御手段は、所定の遊技条件が満たされると、前記電動役物を傾動させて前記図柄表示部を傾動させる際、前記図柄表示部における前記図柄の表示位置を、前記図柄表示部を傾動させないときの表示位置に対して傾動方向に沿う方向へずらし、さらに前記図柄におけるずらした側の一部を前記図柄表示部からはみ出させて切れたように表示することを特徴とするものである。
【０００６】
なお、上記発明にあって、前記制御手段は、前記図柄の表示位置を、傾動方向に沿う方向にずらすとした構成を採用することも可能である。そして、そのような構成を採用することにより、上記効果に加えて、擬似的な重力由来の滑りを表現する等、より一層傾動に連関した興味深い図柄の表示を提供することができる、という効果を奏する。
【発明の効果】
【０００７】
請求項１に記載の発明によれば、図柄表示部の傾動に従って図柄の表示位置をずらす。よって、図柄表示部の傾動及びこれと連関した図柄の表示の組合せにより、迫力のある印象を与えることのできる遊技性の高い遊技機を提供することができる、という効果を奏する。
また、図柄をずらしつつ一部を切れたようにすることで、上記効果に加えて、興趣有るずれ表示を強調したり、更に変化に富んだ表示を提供したりして、より斬新な印象を与える遊技機を提供することができる、という効果を奏する。
【図面の簡単な説明】
【０００８】
【図１】本発明に係るパチンコ機の前面説明図である。
【図２】図１のパチンコ機の遊技盤の前面説明図である。
【図３】図１のパチンコ機の後面説明図である。
【図４】図１のパチンコ機の主な制御装置等を示すブロック図である。
【図５】図４のメイン制御装置の記憶手段に記憶された基本変動パターン決定テーブルであって（ａ）外れ時用のもの，（ｂ）大当り時用のものを示す説明図である。
【図６】図４のサブ制御装置の記憶手段に記憶された、大当り抽選の結果と証拠図柄の態様との対応を示すテーブルの説明図である。
【図７】図４のサブ制御装置の記憶手段に記憶された、基本変動パターンの種類と、装飾図柄（及び証拠図柄）の詳細な変動の態様との対応を示すテーブルの説明図である。
【図８】図１のパチンコ機の電動役物を搭載するセンター部材の前面説明図である。
【図９】図１のパチンコ機の電動役物を搭載しないセンター部材の前面説明図である。
【図１０】図８の電動役物の後面説明図である。
【図１１】図８の電動役物の下降位置におけるセンター部材の後面説明図である。
【図１２】図８の電動役物の上昇位置におけるセンター部材の後面説明図である。
【図１３】図８の電動役物の左位置における内部後面説明図である。
【図１４】図８の電動役物の右位置における内部後面説明図である。
【図１５】（ａ）は図１４の電動役物の図柄表示部ないしその表示例を示す前面説明図であり、（ｂ）は図１３の電動役物の図柄表示部ないしその表示例を示す前面説明図である。
【図１６】（ａ）は図１４の電動役物の図柄表示部ないし他の表示例を示す前面説明図であり、（ｂ）は図１３の電動役物の図柄表示部ないし他の表示例を示す前面説明図である。
【発明を実施するための形態】
【０００９】
以下、本発明に係る実施の形態の例につき、適宜図面に基づいて説明する。なお、当該形態は、下記の例に限定されない。
【００１０】
［パチンコ機の全体構成等］
図１は遊技機の一例であるパチンコ機１の前面説明図であり、図２はパチンコ機１の遊技盤２の前面説明図であり、図３はパチンコ機１の後面説明図である。
パチンコ機１は、前面に遊技球の流下する遊技領域１６が形成された遊技盤２を備えている。遊技盤２は、機枠３の前面上部において、ミドル枠５を介して設置されている。
遊技盤２の前方には、透明板を嵌めた前扉４が、機枠２に対し片開き可能に蝶着されている。
【００１１】
遊技領域１６は、弧状に配設された外レール２３及び内レール２４等によって囲まれており、これらは左部において並行してその間が遊技球の発射通路１３となっている。
遊技領域１６の中央には、図柄表示部６を有する電動役物３１が、遊技盤２に開けられた大開口を介して設置されている。
図柄表示部６は、０〜９の一桁の数字や絵柄ないしその組合せ等からなる装飾図柄を表示するものである。以下、装飾図柄につき、主に一桁の数字又は一つの絵柄を３個（横並びで）有するものとし（図１５，１６参照）、１個の一桁の数字又は一つの絵柄の部分を数字部分という。装飾図柄には、ダルマのキャラクタ等が付随することがある。
尚、装飾図柄とは別に、特別図柄についての表示部が設けられている。
【００１２】
更に、電動役物３１を収納可能なカバー体２６ａ（図８に示す）と、電飾部材２０や電動役物３１を囲むように配設された種々の報知部材３０，３０・・とを有するセンター部材２６が遊技盤２に設置されている。
又、遊技領域１６には、一対の爪片を開閉動作可能に備えたチューリップ式電動役物１７や、開閉可能な扉部材を有する大入賞装置１８、遊技球が入賞可能な図柄始動口１９、ないし多数の遊技釘等が設置されている。
【００１３】
加えて、機枠３の前面側であって遊技盤２の下方には、遊技球を発射装置１０へ供給するための供給皿７と、これから溢れた遊技球を貯留するための貯留皿８が取り付けられている。供給皿７は、前扉４の開放により、機枠３に対して片開き可能であり、貯留皿８は、ミドル枠５の開放により、機枠３に対して片開き可能である。
更に、貯留皿８の右側には、発射装置を作動させるためのハンドル９が回転操作可能に設置されている。加えて、供給皿７の前部には、遊技者が任意に押込操作可能なボタン２５が設けられている。
加えて、前扉４の上部には、効果音や各種メッセージ等を報音する一対のスピーカ１４，１４が設けられており、前扉４の側部には、遊技状態等に応じて点灯（適宜点滅を含む）する複数のＬＥＤを備えたランプ部材１５，１５が設けられている。
【００１４】
他方、機枠３の後面側には、遊技球を貯留するための貯留タンク１１や、これと連結され、供給皿７への遊技球（貸球や賞品球）の払出を行う払出装置１２、当該払出を制御する払出制御装置２８、各種の制御基板や装置・部材に電源電圧を供給するための電源装置２９等が設置されている。
又、機枠３の後面側中央には、センターカバー２１が設置されており、その内部には、図４に示すような各種の装置等が収められている。
即ち、遊技に係る主たる制御（例えば大当り抽選）を実行する決定手段としてのメイン制御装置３４や、図柄表示部６における表示動作等を制御する表示制御装置５０、ランプ部材１５・報知部材３０・電飾部材２０の点灯動作等を制御する発光制御装置５１、スピーカ１４からの報音動作を制御する音制御装置５２が配される。
又、表示制御装置５０・発光制御装置５１・音制御装置５２等の動作を統合的に制御すると共に、電動役物３１の動作を制御するサブ制御装置４０が配される。
尚、機枠３の後面側の向かって右上には、トランスに接続されるプラグ２２と、アース２７とが接続されている。
【００１５】
メイン制御装置３４は、メイン制御基板３５を内蔵している。メイン制御基板３５には、大当り抽選の実行や各種部材の制御を行うメインＣＰＵ３６や、ＲＯＭやＲＡＭ等の記憶手段３７、タイマ３８、インターフェイス３９等が搭載されている。
メイン制御装置３４には、インターフェイス３５を介して、図柄始動口１９や、チューリップ式電動役物１７、大入賞装置１８、払出制御装置２８、電源装置２９等が接続されている。又、メイン制御装置３４は、サブ制御装置４０に内蔵されたサブ統合基板４１とも、インターフェイス３９ないしサブ制御装置４０のインターフェイス４５を介して接続されている。
【００１６】
記憶手段３７には、大当り抽選に使用するｃカウンタや、主に証拠図柄や装飾図柄の変動時間である基本変動パターン（図柄変動パターン）を決定するｄカウンタ等の複数のカウンタが格納されている。
各カウンタは、電源投入時から所定の規則に従って所定の数値の間をごく短時間（例えば１割込２ミリ秒）の内に１ずつ加算しながらループカウントするループカウンタであって、当該カウンタを用いた数値の取得は、乱数の取得と同一視できる。
ｃカウンタは０〜７００（７０１通り）の間を、ｄカウンタは０〜３０（３１通り）の間をループカウントする。
そして、メインＣＰＵ３６は、遊技球の図柄始動口１９又はチューリップ式電動役物１７への入賞検出を契機としてｃカウンタ及びｄカウンタから１つずつ数値を取得する。
【００１７】
更に、記憶手段３７には、図柄表示部６において装飾図柄が変動表示中に図柄始動口１９等へ遊技球が入賞したような場合に、当該入賞に伴うｃカウンタ及びｄカウンタの取得値を保留情報として記憶する保留情報記憶部が設けられている。
尚、保留情報記憶部に記憶されている保留情報の数は、電動役物３１に設けられた保留情報表示ランプ４６において表示される。又、保留情報は、証拠図柄や装飾図柄が確定表示される度に記憶した順番で順次消化がなされ、保留情報の数が所定の上限に至っている場合には当該消化に伴い新たな保留情報が記憶可能となる。
【００１８】
又、記憶手段３７には、図５に示すように、ｄカウンタの数値と基本変動パターンの種類とを対応付けた基本変動パターン決定テーブルが、外れ時用と大当り時用に分けた状態で記憶されている。
図５から明らかなように、基本変動パターンＢは大当り抽選の結果が外れであると選択され易く、逆に大当りであると選択され難くなっている一方、基本変動パターンＤは大当りであると選択され易く、逆に外れであると選択され難くなっており、基本変動パターンＢや基本変動パターンＣよりも大当りである可能性（大当り信頼度）が高くなっている。
【００１９】
サブ制御装置４０には、サブ統合ＣＰＵ４２や、記憶手段４３、タイマ４４、インターフェイス４５等が搭載されたサブ統合基板４１が内蔵されている。
サブ制御装置４０には、表示制御装置５０・発光制御装置５１・音制御装置５２や、電動役物３１に搭載される後述の傾動用モータ６０・昇降用モータ６５が接続される。
又、サブ統合ＣＰＵ４２は、メイン制御基板３５から大当り抽選に係る信号を受信すると、その信号の内容に応じて各制御装置を制御する。
【００２０】
記憶手段４３には、装飾図柄の画像データが格納されると共に、その変動態様やキャラクタ動画を用いたキャラクタ演出等からなる複数の詳細変動パターン（図柄変動パターン）が、メイン制御基板３５で決定される基本変動パターンと対応付けて記憶されている。
更に、記憶手段４３には、電動役物３１に設けられたＬＥＤである証拠図柄表示部４７に表示される証拠図柄が、図６に示すように大当り抽選の結果に対応付けて記憶されている。証拠図柄は、図柄表示部６における装飾図柄の確定表示に伴い、大当りであるか外れであるかを示すものであり、所定時間以上の点灯で大当りを示し、消灯で外れを示すものである。
加えて、記憶手段４３には、図７に示すように、基本変動パターンの種類と、装飾図柄（及び証拠図柄）の詳細な変動の態様（詳細変動パターン）との対応関係が記憶されている。詳細変動パターンは、報音パターンや点灯パターン等を適宜含んでいる。又、詳細変動パターンは、電動役物３１を全体的に左右傾動・上下動させる傾動用モータ６０・昇降用モータ６５の作動パターンを適宜含んでいる。
【００２１】
［電動役物の構成等］
次に、主に電動役物３１について説明する。
図８は電動役物３１を搭載するセンター部材２６の前面説明図であり、図９は電動役物３１を外したセンター部材２６（カバー体２６ａ及び装飾パネル３３）の前面説明図であり、図１０は電動役物３１の後面説明図であり、図１１は電動役物３１の下降位置におけるセンター部材２６の後面説明図であり、図１２は電動役物３１の上昇位置におけるセンター部材２６の後面説明図であり、図１３は電動役物３１の左位置におけるセンター部材２６の前面説明図であり、図１４は電動役物３１の右位置におけるセンター部材２６の前面説明図である。
【００２２】
センター部材２６のカバー体２６ａは、前面に開口する合成樹脂製の箱体で、電動役物３１を収納可能となっている。
カバー体２６ａの前面開口の周縁部には、遊技盤２の後面へ固定するための固定部３２，３２・・が設けられている。
又、カバー体２６ａの内面には、カバー体２６ａの内部空間を前後で仕切るように装飾パネル３３が取付けられている。装飾パネル３３は、金属片を混入した合成樹脂製で、その前方において電動役物３１が収納されるようになっており、電動役物３１の可動範囲よりも広い位置にわたるように配置されている。更に、装飾パネル３３の表面であって、電動役物３１の後方となる位置には、電動役物３１の動作時に前後方向へのバタ付きを抑制する案内レール３３ａ，３３ａが設けられている。案内レール３３ａ，３３ａは、正面視ハ字状に配置されている。
【００２３】
電動役物３１は、正面視が遊技領域１６の半分以上を占める所定のキャラクタ形状（ダルマ）を呈しており、内部に各種基板や駆動機構等を有していて、中央下部に図柄表示部６を有し、その周囲に保留情報表示部４６と証拠図柄表示部４７を有している。
又、図柄表示部６の周囲には、発光制御装置５１により制御される装飾ＬＥＤ４８，４８・・が配される。
尚、電動役物３１の本体カバーは透光性を有する合成樹脂製であり、その内部周縁にも図示しない装飾ＬＥＤが複数配されている。又、ダルマの目の内部等にも図示しない装飾ＬＥＤが配される。
【００２４】
他方、電動役物３１の後面の周縁部には、前面側と同様に装飾ＬＥＤ４９，４９・・が配されており、これらの点灯によりその後方が照射されて装飾パネル３３における反射の発生をもたらし、電動役物３１の外周縁を浮かび上がらせる（間接照明）。
又、電動役物３１の後面には、後方へ突出する一対のリブ５４，５４がそれぞれ上下に延設されており、電動役物３１をカバー体２６ａへ収納した際、各リブ５４の後面が対応する案内レール３３ａの前面に交差する姿勢で当接する。
更に、電動役物３１の後面下側中央には、昇降用ボス５３がカバー本体内部から後方へ突設されており、電動役物３１の後面上部中央には、傾動用ボス５９が同様に突設されている。
【００２５】
かような電動役物３１は、遊技領域１６と平行な面内で左又は右へ傾動させる傾動機構を有している。又、電動役物３１は、遊技領域１６と平行な面内で上下動させる昇降機構を有している。
【００２６】
傾動機構は、装飾パネル３３の後方でカバー体２６ａの内部となる位置に配置された第１ケーシング体７５に設置されている。第１ケーシング体７５は、電動役物３１の後面から突設された傾動用ボス５９と連結されている。よって、傾動機構は、カバー体２６ａとは独立しており、カバー体２６ａの内部において第１ケーシング体７５と共に移動可能となっている。
そして、傾動機構は、サブ制御装置４０に制御されるために接続されている傾動用モータ６０と、その回転軸の駆動に連動して回転する図示しないギアと、これを介して左又は右に移動する傾動用アーム６１と、これを案内する傾動用ガイド体６２及び傾動用スリット６３を含む。
【００２７】
傾動用モータ６０は、その回転軸を前後方向に沿わせて前側に向けている。
傾動用アーム６１は、上下に長い帯状体で、第１ケーシング体７５の内部における傾動用モータ６０の前側において、傾動用モータ６０の駆動に伴い上端部を軸として左右方向へ傾動可能に取付けられている。
尚、図示しないが、傾動用アーム６１と傾動用モータ６０の間には、傾動用モータ６０により前後軸周りで回転されるギアと、このギアの前面における偏心位置に前方へ突出する突起が配置されると共に、傾動用アーム６１には、その長手方向に沿うスリットが配置され、当該突起をスリットに通すことで、ギアの回転により傾動用アーム６１が左又は右に傾動する。
【００２８】
又、傾動用アーム６１の下部には、これを前後方向で貫通する傾動用ガイド体６２が取付けられている。傾動用ガイド体６２の前端部は、傾動用ボス５９に軸着されている。
更に、第１ケーシング体７５の後面には、傾動用アーム６１が移動した際の傾動用ガイド体６２の軌跡に沿ってスリット６３が開けられている。
そして、傾動用ガイド体６２の後端部は、傾動用スリット６３へ係合しており、傾動用スリット６３の移動方向でスライド可能となっている。
又、電動役物３１の下端部には、昇降用ボス５３へ螺着される昇降用ガイド体５７が設けられている。昇降用ガイド体５７は、カバー体２６ａの後面において上下方向に延設された昇降用スリット５８に入っており、上下方向へのみ移動可能で、左右方向への移動を規制可能としている。
【００２９】
かような傾動機構により、電動役物３１が左又は右に傾くように移動する。
即ち、サブ制御装置４０からの指令に基づき傾動用モータ６０が駆動すると、傾動用アーム６１が左又は右に移動し、その移動につられて電動役物３１が傾動用ガイド体６２及び傾動用スリット６３に案内されながら、昇降用ガイド体５７の位置を軸として左端傾斜位置（図１３）又は右端傾斜位置（図１４）までの間における任意の傾斜位置まで傾動される。
尚、傾動用アーム６１における傾動用ガイド体６２の貫通箇所は、電動役物３１の傾動を可能とするため、傾動用アーム６１の長手方向へ長いスリットになっている。
【００３０】
他方、昇降機構は、カバー体２６ａの内部に固定された第２ケーシング体７６に主に設けられており、カバー体２６ａに固定された昇降用モータ６５と、その駆動に連動して回転するカム６８を含んだ複数のギアと、カム６８によりカバー体２６ａの内部で上下方向へ傾動する昇降用アーム６６と、電動役物３１を上昇方向へ付勢するバネ部材６７と、電動役物３１の昇降を案内する昇降用ガイド体５７及び昇降用スリット５８を備えている。
【００３１】
昇降用モータ６５は、カバー体２６ａの後方から見て左上部に前後方向を軸として回転するように設置されており、その回転軸にはギアを介してカム６８が接続されている。
カム６８は、外周縁部の一部が他の部位より径方向で突出するもので、当該突出部は鉤状に形成され、その周面で昇降用アーム６６の基端部後面に設けられた突起６４を押圧し、昇降用アーム６６を作動させる作用部６８ａとなっている。
カム６８が前後軸周りで回転すると、基端部（後側から見て左端部）が上限位置にある（電動役物３１が下降位置にある）昇降用アーム６６の突起６４を作用部６８ａが押圧し、昇降用アーム６６の基端部を下限位置に達する（電動役物３１が上昇位置に達する）まで押下げる。
【００３２】
昇降用アーム６６は、左右方向に延設された合成樹脂製の棒状部材であって、中間部において前後方向の軸７０ａにより軸支されている。
昇降用アーム６６の基端部の前面には、図示しないアームガイド体が設置されており、第２ケーシング体７６の前面には、当該アームガイド体の移動軌跡に沿って弧状にアーム用スリット７１が設けられている。
そして、当該アームガイド体とアーム用スリット７１が係合しており、前者が後者の中をスライドすることにより、昇降用アーム６６の傾動を案内可能としている。
更に、昇降用アーム６６の基端部後面には、カム６８の周面に当接可能な突起６４が突設されている。
【００３３】
これに対し、昇降用アーム６６の先端部（後側から見て右端部）には、その長手方向へ長い長孔７２が開けられている。この長孔７２には、第１ケーシング体７５の後面から後方へ突出する連結部材７４が係合し、昇降用アーム６６と第１ケーシング体７５、ひいては電動役物３１が連結されている。
加えて、第１ケーシング体７５には、下方へ突出する凸部が設けられており、当該凸部に弾性体（コイル状のバネ部材６７）が嵌込まれている。カバー体２６ａにおける当該凸部の下方位置には、バネ部材６７の下部を支持する支持凹部７３が設けられており、バネ部材６７によって第１ケーシング体７５（電動役物３１）が上昇方向へ付勢されている。
【００３４】
かような昇降機構により、電動役物３１が上又は下に移動する。
即ち、電動役物３１は、通常時、自身の重さにより、バネ部材６７の付勢力に抗して下降位置にある（図２，図９，図１１）。このとき、昇降用アーム６６の先端部は下限位置にあって基端部は上限位置にあり、昇降用アーム６６の突起６４はカム６８の作用部６８ａ以外の周面に当接している。
ここで、サブ制御装置４０の指令に基づき昇降用モータ６５が駆動するとカム６８が回転して作用部６８ａが突起６４を押下げる。すると、昇降用アーム６６の先端部は上方へ移動し、電動役物３１は、バネ部材６７の付勢力にも助けられながら、昇降用ガイド体５７及び昇降用スリット５８に案内されて上昇する。
こうして、カム６８が回転を続け、作用部６８ａが突起６４から離れる直前に達すると、電動役物３１は上昇位置に達する（図８，図１２）。尚、昇降用アーム６６の基端部は下限位置に達する。
更にカム６８が回転し、作用部６８ａが突起６４から離れると、作用部６８ａによる突起６４の押圧が解除され、電動役物３１は、自身の重さにより、バネ部材６７の付勢力に抗しながら落下し、下降位置へ復帰する。
【００３５】
［パチンコ機の基本動作等］
続いて、かような図柄表示部６を具備した電動役物３１を有するパチンコ機１の基本動作等を説明する。
遊技者によってハンドル９が回転操作されると、発射装置１０が作動し、発射通路１３を介して遊技球を遊技領域１６へ打ち込む。遊技球は遊技領域１６を流下し、図柄始動口１９又はチューリップ式電動役物１７へ入賞する（所定条件を充足する）と、当該入賞がメインＣＰＵ３６により検出される。メインＣＰＵ３６は、その検出のタイミングでｃカウンタ及びｄカウンタから１つの数値を取得し、ｃカウンタにおける取得値が所定の数値（大当り数値・例えば３００）であるか否かを判定する大当り抽選を実行する。
そして、メインＣＰＵ３６は、大当り抽選の結果が大当り（ｃカウンタの取得値＝３００）であると、図５（ｂ）に示す基本変動パターン決定テーブルを用い、ｄカウンタの取得値に対応する基本変動パターンを読出す。
他方、大当り抽選の結果が外れ（ｃカウンタの取得値≠３００）であると、メインＣＰＵ３６は、図５（ａ）に示す基本変動パターン決定テーブルを用い、ｄカウンタの取得値に対応する基本変動パターンを読出す。
その後、メインＣＰＵ３６は、大当り抽選の結果や、読出した基本変動パターンの種類（特に変動時間）を示す情報を含んだ指令コマンドを作成すると共に、当該指令コマンドをサブ統合ＣＰＵ４２へ送信する。
【００３６】
サブ統合ＣＰＵ４２は、当該指令コマンドを受信すると、大当り抽選の結果に応じて最終的に確定表示する装飾図柄の種類や、その確定表示に至るまでの変動表示の態様を決定する。
装飾図柄の種類の決定は、例えば専用のループカウンタを用いた抽選により実行することができる。尚、大当り抽選の結果が外れであると、大当り表示をしないように装飾図柄の種類が調整される。
又、変動表示の態様は、サブ統合ＣＰＵ４２により基本変動パターンに対応する詳細変動パターンが読出されることで具体的に決定される。サブ統合ＣＰＵ４２は、タイマ４４により計時しながら、読出した詳細変動パターンに従って、図柄表示部６における装飾図柄の変動表示を行う。この表示は、表示制御装置５０を介して制御される。
更に、詳細変動パターンには、各種ランプの点灯やスピーカ１４の報音の態様も適宜含まれ、これに従いサブ統合ＣＰＵ４２は発光制御装置５１や音制御装置５２を介して点灯や報音を適宜行う。
加えて、詳細変動パターンには、電動役物３１の動作態様も適宜含まれ、これに従いサブ統合ＣＰＵ４２は傾動用モータ６０や昇降用モータ６５の制御を行い、電動役物３１の傾動や昇降を適宜行う。
【００３７】
そして、サブ統合ＣＰＵ４２は、変動表示の開始から、実行中の詳細変動パターンの変動時間の経過に伴い、大当り抽選の結果に応じた装飾図柄を図柄表示部６に表示する。
つまり、大当り抽選の結果が大当りであると、図柄表示部６では装飾図柄につき大当りを示す態様（同一の数字又は絵柄を３つ並べる態様の表示、７７７等）で表示される（大当り表示）。
他方、大当り抽選の結果が外れであると、図柄表示部６では装飾図柄につき外れを示す態様（同一の数字又は絵柄が３つ並ばない態様の表示、１２３や７７６等）で表示される（外れ表示）。
又、サブ統合ＣＰＵ４２は、変動時間の経過に伴い、大当り抽選の結果に応じ、証拠図柄の表示を行う。つまり、大当りの場合に証拠図柄表示部４７のＬＥＤを点灯し、外れの場合にＬＥＤを点灯せず消灯のままとする（図６）。
尚、特別図柄について、別途、特別図柄表示部において、装飾図柄あるいは証拠図柄と同様に変動表示され、確定表示される。
【００３８】
更に、大当り抽選の結果が大当りであると、大当りの態様に係る装飾図柄等の確定表示後、メインＣＰＵ３６が大入賞装置１８を所定回数にわたり断続的に開成したり、サブ統合ＣＰＵ４２が演出表示や報音等を行うといった大当り状態を生起させる。メインＣＰＵ３６は、大入賞装置１８への入賞の検知に応じて、払出制御装置２８を介し払出装置１２より所定個数の遊技球を賞品球として払出させるため、大当り状態（特別遊技状態）は遊技者にとって有利である。
他方、大当り抽選の結果が外れであると、外れの態様に係る装飾図柄等の確定表示後、次の保留情報（図柄始動口１９等への入賞に伴う各種カウンタの取得値）に起因した大当り抽選を実行する。
かように、大当り抽選は、遊技者にとって有利な大当り状態の生起の有無を決定するものである。
又、図柄表示部６は、大当り抽選の結果（決定結果）を、装飾図柄の確定表示の態様により報知するものである。即ち、大当り抽選の結果が大当り状態の生起有り（大当り）であると、大当り表示をする一方、大当り抽選の結果が大当り状態の生起無し（外れ）であると、大当り表示をせず、大当り表示以外の態様の表示（外れ表示）をする。
【００３９】
［電動役物全体の作動とその図柄表示部の表示の連係動作等］
次いで、主に電動役物３１全体の移動とその図柄表示部６の表示の連係動作について、以下説明する。
図１５は電動役物３１の傾動中における図柄表示部６の表示例を示し、図１６は電動役物３１の傾動中における図柄表示部６の他の表示例を示す。
【００４０】
サブ統合ＣＰＵ４２は、読出した詳細変動パターンに従い、図柄表示部６における表示や、各種ランプの点灯、スピーカ１４の報音、そして傾動用モータ６０や昇降用モータ６５の作動等を制御する。
【００４１】
各詳細変動パターンが示す装飾図柄の変動態様は、まず高速でスクロールされているように見える高速スクロール変動表示をした後、徐々にスクロール速度が下がる低速スクロール変動表示をし、確定表示に至るものを基本として、それぞれ次のようなものである。尚、適宜併せて電動役物３１の作動パターン等も説明する。
【００４２】
即ち、ノーマル外れ（基本変動パターンＡに対応）は、すぐ後で述べるリーチ表示を含むことなく確定表示に至るものであり、大当り抽選が外れの場合にのみ選択されるものである（図５）。
ノーマル外れにおいては、所定の報音を併せて行うように、報音パターンや点灯パターンが含められている。
【００４３】
又、ノーマルリーチ（基本変動パターンＢに対応）は、大当り表示又はこれを示唆する表示を部分的に有するリーチ表示を経て確定表示に至るものである。大当り表示に類似するリーチ表示を変動表示に含むことで、大当り表示（特別遊技状態の生起）への期待を遊技者に提供する。
リーチ表示の態様は、例えば７７＊で、＊の部分が、７７の部分（大当り表示７７７の一部分）に比較して、高速で変動しているものが挙げられる。尚、この場合の７７の部分のように、装飾図柄における一部の数字（絵柄）が一旦停止されていても、残部が変動（スクロール表示）されていれば、装飾図柄の変動表示がなされているといえる。
ノーマルリーチにおいては、リーチ表示の開始時間や終了時間に応じ、ノーマル外れのものとは違った所定の報音や点灯を併せて行うように、報音パターンや点灯パターンが含められている。
【００４４】
更に、揺動リーチ（基本変動パターンＣに対応）は、電動役物３１の揺動を伴うリーチ表示を経て確定表示に至るものである。リーチ表示に電動役物３１の揺動を伴わせることで、大当り表示への更なる期待や視覚的な興趣を遊技者に提供する。
揺動リーチの態様は、装飾図柄の全ての数字部分が低速スクロール変動表示している最中に、電動役物３１の左右への傾動を開始して低速での往復を繰返し、電動役物３１と共に揺動する図柄表示部６内で変動表示を続けた後（図１５）、リーチ表示を開始して確定表示まで続ける、というものである。
揺動リーチにおいては、変動表示開始からの経過時間（装飾図柄の変動表示態様）に応じた傾動用モータ６０の作動パターン（電動役物３１の揺動パターン）や、上記のものとは違った所定の報音や点灯を併せて行うような報音パターンや点灯パターンが含められている。
【００４５】
そして、電動役物３１揺動中の装飾図柄の表示態様は、傾動姿勢に合わせて装飾図柄がずれる（傾く）ような、当該揺動と連係したものとされている。
即ち、図１５（ａ）に示すように、電動役物３１が右に傾動するタイミングに合わせて、装飾図柄の数字部分の中心線が、傾動していない場合の当該中心線の位置に対して、それぞれ右にずれる。尚、揺動リーチでは、スクロール方向は上下方向（傾いた図柄表示部６でみて上から下）であり、この方向に交わる（直交する）左右方向（傾いた図柄表示部６の長手方向に沿う方向）にずれることとなる。
ここで、電動役物３１が右に傾くほど、装飾図柄の数字部分の中心線の間隔が短くなり（左の数字部分ほどズレ量を大きくし）、装飾図柄の数字部分が詰まるような態様とし、換言すれば、図１５（ａ）において、中央の数字部分である６が右の５に近寄り、左の１が（更に大幅に）中央の６に近寄るような態様とする等、電動役物３１の傾動角度や傾動速度等に応じて、装飾図柄の態様が変更される。
又、装飾図柄の右数字部分（の一部）が、図柄表示部６の右辺を出て、右にはみ出し、装飾図柄の一部分が傾動方向に切れる態様が含められる。
他方、これと同様、図１５（ｂ）に示すように、電動役物３１が左に傾動する揺動パターン部分に併行し、装飾図柄が左にずれる表示パターン部分が含められる。
ここでも、電動役物３１の傾動角度等に応じて装飾図柄の態様が変更され、又装飾図柄の左数字部分が切れる。
【００４６】
又更に、揺動スーパーリーチ（基本変動パターンＤに対応）は、電動役物３１の揺動を伴うキャラクタ付きリーチ表示を経て確定表示に至るものである。キャラクタ付きのリーチ表示に電動役物３１の揺動を伴わせることで、より一層大きな大当り表示への期待や視覚的な興趣を遊技者に提供する。
揺動スーパーリーチの態様は、図１６に示すように、上記揺動リーチと基本的な流れは同様であり、図柄表示と揺動が連係したものとなっているが、リーチ表示の際に装飾図柄においてキャラクタ（ダルマ）が付随したり、揺動が激しかったり（傾動速度の平均が比較的に速い）することが異なる。尚、揺動スーパーリーチでは、電動役物３１の上下動（昇降）も含められる。
ここで、図１６（ａ）で示されるように、右に傾くと、ダルマが自身の左側にある数字部分を右（下）から押上げる態様が含められる。
又、図１６（ｂ）で示されるように、左に傾くと、ダルマが左（下）に勢いよく（ダルマの右側（後方）にジグザグ模様を有する形態）数字部分を押下げる態様が含められ、押下げ時には数字部分（の一部）が切れる態様が含められる。
尚、揺動スーパーリーチにおいては、変動表示開始からの経過時間に応じた電動役物３１の揺動パターンや、上記のものより比較的に激しい（勢いのある・テンポの速い）所定の報音や点灯を併せて行うような報音パターンや点灯パターンが併せて含められている。
【００４７】
各詳細変動パターンが以上の何れかに係るものであるから、サブ統合ＣＰＵ４２は、当該パターンに従った、図柄表示部６における表示や、各種ランプの点灯、スピーカ１４の報音、そして傾動用モータ６０や昇降用モータ６５の作動等の具体的な制御により、上述した各種態様を実際にもたらす。
【００４８】
［パチンコ機の効果等］
以上のパチンコ機１では、傾動可能な電動役物３１と、図柄始動口１９又はチューリップ式電動役物１７への入賞により遊技者にとって有利な大当り状態の生起の有無を決定する（ｃカウンタの抽出値が所定値か否かを判定する）メイン制御装置３４と、装飾図柄を表示可能で、当該装飾図柄を確定表示した際の表示態様によって、メイン制御装置３４による決定結果（大当りか外れか）を遊技者に報知するための図柄表示部６と、図柄表示部６における表示及び電動役物３１の傾動を制御する制御手段（サブ制御装置４０や表示制御装置５０）とを備えており、図柄表示部６は、電動役物３１に配置されて共に傾動可能とされており、前記制御手段は、電動役物３１を傾動して図柄表示部６を傾動させると共に、図柄表示部６における装飾図柄の表示位置を、図柄表示部６を傾動させないときの表示位置に対してずらす。
従って、電動役物３１の傾動によって共に傾動される図柄表示部６内の装飾図柄を傾動に伴いずらすことができ、図柄表示部６が傾くのみならず図柄の傾きに応じた動きを実現することができて、極めて興味深い電動役物や図柄の作動態様を提供することができ、斬新な印象を与えることのできる遊技性の高いパチンコ機１とすることが可能となる。
【００４９】
又、前記制御手段は、装飾図柄の表示位置を、右に傾くと右（下）へずらし、左へ傾くと左（下）へずらすといったように、傾動方向に沿う方向にずらす。
従って、傾動により（斜め）下となる方へ装飾図柄を移動させることができ、あたかも傾きにより発生する仮想的な重力が装飾図柄を引っ張り滑らせるかのような、極めて興趣のある表現を実現することができ、より興味深い電動役物や図柄の作動態様を提供することができて、より斬新な印象を与えることのできる遊技性の高いパチンコ機１とすることが可能となる。
尚、特にこの場合、装飾図柄において、数字部分を押上げ（仮想的な上り坂の場合・図１６（ａ））、あるいは押込む（下りの場合・図１６（ｂ））ようなキャラクタを付与しているため、仮想的な重力を一層強調することができる等、より一層電動役物３１（図柄表示部６）の傾きないしこれに応じた図柄表示を興味深いものとすることができる。
【００５０】
更に、前記制御手段は、装飾図柄におけるずらした側の一部を図柄表示部６からはみ出させて切れたように表示することもある。
そして、この場合には、装飾図柄のずれを強調することができるし、スクロール変動表示の方向に交わる方向にずれて（一旦）切れるようにする等、装飾図柄の表示に斬新な変化をつけることができ、一層興味深い電動役物や図柄の作動態様を提供することができて、一層斬新な印象を与えることのできる遊技性の高いパチンコ機１とすることが可能となる。
【００５１】
［変更例等］
尚、主に上記形態を変更して成る、本発明の他の形態を例示する。
【００５２】
電動役物の揺動回数が多くなるほど、装飾図柄の数字部分の間隔を狭くしたり、切れる部分（はみ出し量）を大きくしたりする等、揺動回数（揺動開始からの経過時間）により表示態様を異ならせたり、電動役物の傾動角度や傾動方向・傾動速度等の傾動態様を、揺動開始からの経過時間に応じ変化させたり、揺動速度が速いほど装飾図柄の部分の間隔を狭めたり切れる部分を大きくしたりする等、傾動態様の変化に応じて装飾図柄の態様を変えたりする。傾動角度に応じず、傾動すると常に所定量だけずれるようにする。装飾図柄がずれた際にその一部が切れないようにしたり、（一時的に）全部が図柄表示部からはみ出すようにしたりする。電動役物を変動表示開始直後から揺動させる。電動役物の作動につき、左右非対称の揺動としたり、左右の往復動である揺動に変えて、又はこれと共に、左若しくは右への傾動のみを行ったりする。
外れ時にも電動役物の揺動や傾動、あるいは装飾図柄のはみ出しを含める。高速スクロール表示時のみ、低速スクロール表示時のみ、リーチ表示時のみ、一旦停止時のみ、若しくは確定表示時のみ、又はこれらの組合せにおいて、電動役物の揺動や傾動、及び／又は装飾図柄のはみ出しを行う。左への傾動と右への傾動で、右のみ装飾図柄をずらし（切らし）左では装飾図柄をずらさない（ずれるが切らさない）ようにしたり、傾動角度や傾動速度等を変えたりする等、各種の態様を変更する。
装飾図柄のはみ出しにつき、スクロール方向の直交方向以外のスクロール方向と交わる方向に沿わせたり、複数の数字部分が切れるものとしたり、傾動しないときにはみ出す等傾動にかかわらず独立してはみ出（すものを含むように）したりする。
スクロール方向は、上下方向のみならず、左右方向（図柄表示部の長手方向に沿う方向）や、斜め方向、あるいは図柄表示部が傾いていたとしても実際の上下方向（鉛直方向）やこれに直交する左右方向（傾いた図柄表示部でみると斜めになる）に沿うような方向等とすることができる。
【００５３】
装飾図柄の電動役物傾動に対する連係につき、電動役物が傾いた場合に（その傾きと同等にあるいは比例・２乗に比例等した傾きで）数字部分の中心線が傾くものとしたり、数字部分の一部分が（電動役物の傾きに応じて大きく）変形するものとしたり、これらを組合わせたりする。
装飾図柄のずれにつき、複数の数字部分の全部をずらさずに、ずれる方向側の数字部分のみずらす等、一部の数字部分のみずらしたり、キャラクタ等のみずらしたりする。
装飾図柄におけるキャラクタに関し、信頼度が比較的に高い場合に初めて出現するものを設けたり、信頼度が比較的に高い場合に初めて上り坂を登りきる態様を出現させたり、信頼度が比較的に高い場合に下り坂を下りきる（更に適宜信頼度等に応じ数字部分を初めて切らせる）態様を出現させたり、複数回上り下り（押込み押戻され）を繰り返す等、なかなか登り（下り）きらない態様を出現させたり、これらを組み合わせたりする。
装飾図柄につき、数字を採用せず絵柄のみとしたり、あるいは数字のみとしたり、２つ以下あるいは４つ以上の数字等の組合せとしたり、キャラクタを用いないようにしたり、更に背景を付加したり、キャラクタや背景の種類を複数にして適宜切替えたりする。
装飾図柄を採用せず、特別図柄において、その表示部の傾動と図柄の連係を行ったり、装飾図柄を併用して特別図柄のみにおいて当該連係を行ったりする。証拠図柄につき、装飾図柄と同様に省略したりする。
【００５４】
同じ基本変動パターンが選択された場合であっても、サブ制御装置側等で抽選（乱数の抽出による振分け）をすることにより、（同じ変動時間で、基本的な流れを同様としつつ、細部において）互いに異なる表示態様や傾動態様をとるようにする（サブ制御装置における演出決定手段の具備）。ここでの表示態様の相違として、装飾図柄の数字部分に付随するキャラクタの有無あるいは種類や数の違いや、当該部分の一旦停止のタイミングないし回数の変更、あるいは装飾図柄のはみ出す方向や量の相違を例示でき、傾動態様の相違として、傾動角度や傾動回数の差あるいは傾動の有無を例示できる。
【００５５】
傾動や昇降の機構につき、モータを用いずソレノイドを用いたものとしたり、アームやカムに代えてギアを用いたものとしたり、昇降機構を省略したり、上部や側部を中心として傾動するものとしたりする。又、ダルマの「大願成就」部分を他の部分に対し上下動可能として、図柄表示部の前方の一部や全部を適宜覆えるようにする等、更に可動部分や可動機構を追加する。
電動役物において、証拠図柄表示部を省略したり、各種ランプの配置を変更したり、図柄表示部を複数設けたりする。
電動役物につき、一部を傾動可能とし、その傾動部分に図柄表示部を配置する。
各種制御装置の構成につき、メイン制御装置とサブ制御装置及び／又はサブ制御装置と表示制御装置等、一部あるいは全部の制御装置を共通化したり、サブ制御装置側ではなくメイン制御装置側で傾動用モータや昇降用モータ等を制御する等、制御対象の異なるものとしたり、モータ用制御装置（電動役物あるいは図柄表示部の傾動制御装置）を介装する等、更に制御装置を追加したり、一部の制御装置を省略したりする。
又、スロットマシンを始めとする、パチンコ機以外の遊技機に適用する。
【符号の説明】
【００５６】
１・・パチンコ機（遊技機）、２・・遊技盤、６・・図柄表示部、１６・・遊技領域、１７・・チューリップ式電動役物、１９・・図柄始動口、３１・・電動役物、３４・・メイン制御装置（決定手段）、３５・・メイン制御基板、３６・・メイン制御ＣＰＵ、３７，４３・・記憶手段、４０・・サブ制御装置（制御手段の一部）、４１・・サブ統合基板、４２・・サブ統合ＣＰＵ、５０・・表示制御装置（図柄制御装置・制御手段の一部）、６０・・傾動用モータ、６５・・昇降用モータ。
【図１】
0006047837.tif 000002
【図２】
0006047837.tif 000003
【図３】
0006047837.tif 000004
【図４】
0006047837.tif 000005
【図５】
0006047837.tif 000006
【図６】
0006047837.tif 000007
【図７】
0006047837.tif 000008
【図８】
0006047837.tif 000009
【図９】
0006047837.tif 000010
【図１０】
0006047837.tif 000011
【図１１】
0006047837.tif 000012
【図１２】
0006047837.tif 000013
【図１３】
0006047837.tif 000014
【図１４】
0006047837.tif 000015
【図１５】
0006047837.tif 000016
【図１６】
0006047837.tif 000017